(57)【要約】【課題】  座金等の格子用締付部材を格子部材の内部の所定の位置に簡易に位置決めすることができると共に、当該位置決めした状態を保持して、格子部材の組み付け作業を簡易にする。【解決手段】  固定具１０は、格子部材１Ａの内部に挿入される固定具本体１２を備え、この固定具本体１２は、座金３Ａを保持するホルダー１４、及び、このホルダー１４を支持して座金３Ａを所定の位置に保持する脚部１６を有している。ホルダー１４は、固定具本体のうち、座金３Ａを設置すべき位置に対応する位置に設けられている。固定具本体はエンドキャップ１８と一体となっている。このエンドキャップ１８を嵌合するだけで、座金３Ａを所定の位置に位置決め及び固定することができる。【選択図】        図４
2008128374.tif 000002
【特許請求の範囲】
【請求項１】
格子を構成する各格子部材の内部にビス、ネジ等の螺合部材に締め付けられる座金、ナットその他の締付部材を固定する格子用締付部材の固定具であって、前記固定具は、前記格子部材の内部に挿入される固定具本体を備え、前記固定具本体は前記締付部材を保持するホルダーを有していることを特徴とする格子用締付部材の固定具。
【請求項２】
請求項１に記載された格子用締付部材の固定具であって、前記固定具本体は、前記ホルダーを支持して前記締付部材を所定の設置位置に固定する位置固定部材を備えていることを特徴とする格子用座金の固定具。
【請求項３】
請求項１又は請求項２のいずれかに記載された格子用締付部材の固定具であって、前記ホルダーは、前記固定具本体のうち、前記締付部材を設置すべき位置に対応する位置に設けられていることを特徴とする格子用締付部材の固定具。
【請求項４】
請求項３に記載された格子用締付部材の固定具であって、前記ホルダーは、前記固定具本体を前記格子部材内の所定の位置に挿入した場合に、前記締付部材を設置すべき位置に対応する位置に付合して設けられていることを特徴とする格子用締付部材の固定具。
【請求項５】
請求項３又は請求項４のいずれかに記載された格子用締付部材の固定具であって、前記ホルダーは、前記固定具を前記固定具の端部が前記格子部材の端部に対応するように配置した場合に、前記固定具の前記端部から前記ホルダーまでの距離が、前記締付部材を設置すべき位置に対応する距離に付合して設けられていることを特徴とする格子用締付部材の固定具。
【請求項６】
請求項１乃至請求項５のいずれかに記載された格子用締付部材の固定具であって、前記ホルダーは、前記締付部材に螺合されるべき前記螺合部材の杆部が貫通する杆部貫通部を有していることを特徴とする格子用締付部材の固定具。
【請求項７】
請求項１乃至請求項６のいずれかに記載された格子用締付部材の固定具であって、前記固定具本体は、複数の前記ホルダーを有していることを特徴とする格子用締付部材の固定具。
【請求項８】
請求項１乃至請求項７のいずれかに記載された格子用締付部材の固定具であって、前記固定具本体は、前記格子部材の端部に嵌合されるエンドキャップと一体となっていることを特徴とする格子用締付部材の固定具。
【請求項９】
請求項８に記載された格子用締付部材の固定具であって、前記固定具本体は、前記エンドキャップに対して揺動自在であることを特徴とする格子用締付部材の固定具。
【発明の詳細な説明】
【技術分野】
【０００１】
本発明は、組み合わされた格子部材を連結するビス、ネジ等に螺合により締め付けられる座金、ナット等の格子用締付部材を格子部材の所定の位置に固定する格子用締付部材の固定具に関し、特に、座金やナット等を簡易に位置決めすることができると共に、位置決めした状態を保持することに関するものである。
【背景技術】
【０００２】
建造物の窓等に設置される面格子等は、横材用格子部材に縦材用格子部材を連結して構成される。これらの各格子部材の連結には、一般に、ビスやネジ等の螺合部材が使用され、これらの螺合部材は、面格子のデザインを損なわないように、また、防犯上の理由から容易に緩めることができないように、格子部材の内部（内周面）に配置された座金やナット等の締付部材を介して締め付けられることが多い（例えば、特許文献１等参照）。
【０００３】
しかし、格子用部材の内部は、狭小であるため、組み付け作業者が座金やナットを指等により所定の位置に位置決めするのは必ずしも容易ではない。また、位置決めすることができたとしても、ビスやネジ等の回転による締付の際に座金やナットが共回りをして締付できなくなるのを防止したり、更には、座金やナットがネジ溝が切られている螺合部材の杆部の進行に伴ってその進行方向に退避して締付できなくなるのを防止するためには、その位置決めされた所定の位置から座金やナットが変位しないように、固定する必要もあるが、その作業も容易ではない。また、このことから、従来は、座金等の設置位置を作業者の指が届く範囲内に設定する必要があり、設計の自由度やデザインに制約が存在していた。
【特許文献１】特開２００２−３１０１２５号公報
【発明の開示】
【発明が解決しようとする課題】
【０００４】
本発明が解決しようとする課題は、上記の問題点に鑑み、座金等の格子用締付部材を格子部材の内部の所定の位置に簡易に位置決めすることができると共に、当該位置決めした状態を保持して、格子部材の組み付け作業を簡易にすることができる格子用締付部材の固定具を提供することにある。
【課題を解決するための手段】
【０００５】
本発明は、上記の課題を解決するための第１の手段として、格子を構成する各格子部材の内部にビス、ネジ等の螺合部材に締め付けられる座金、ナットその他の締付部材を固定する格子用締付部材の固定具であって、この固定具は、格子部材の内部に挿入される固定具本体を備え、この固定具本体は締付部材を保持するホルダーを有していることを特徴とする格子用締付部材の固定具を提供するものである。
【０００６】
本発明は、上記の課題を解決するための第２の手段として、上記第１の解決手段において、固定具本体は、ホルダーを支持して締付部材を所定の設置位置に固定する位置固定部材を備えていることを特徴とする格子用座金の固定具を提供するものである。
【０００７】
本発明は、上記の課題を解決するための第３の手段として、上記第１又は第２のいずれかの解決手段において、ホルダーは、固定具本体のうち、締付部材を設置すべき位置に対応する位置に設けられていることを特徴とする格子用締付部材の固定具を提供するものである。
【０００８】
本発明は、上記の課題を解決するための第４の手段として、上記第３の解決手段において、ホルダーは、固定具本体を格子部材内の所定の位置に挿入した場合に、締付部材を設置すべき位置に対応する位置に付合して設けられていることを特徴とする格子用締付部材の固定具を提供するものである。
【０００９】
本発明は、上記の課題を解決するための第５の手段として、上記第３又は第４のいずれかの解決手段において、ホルダーは、固定具を固定具の端部が格子部材の端部に対応するように配置した場合に、固定具の端部からホルダーまでの距離が、締付部材を設置すべき位置に対応する距離に付合して設けられていることを特徴とする格子用締付部材の固定具を提供するものである。
【００１０】
本発明は、上記の課題を解決するための第６の手段として、上記第１乃至第５のいずれかの解決手段において、ホルダーは、締付部材に螺合されるべき螺合部材の杆部が貫通する杆部貫通部を有していることを特徴とする格子用締付部材の固定具を提供するものである。
【００１１】
また、本発明は、上記の課題を解決するための第７の手段として、上記第１乃至第６のいずれかの解決手段において、固定具本体は、複数のホルダーを有していることを特徴とする格子用締付部材の固定具を提供するものである。
【００１２】
本発明は、上記の課題を解決するための第８の手段として、上記第１乃至第７のいずれかの解決手段において、固定具本体は、格子部材の端部に嵌合されるエンドキャップと一体となっていることを特徴とする格子用締付部材の固定具を提供するものである。
【００１３】
本発明は、上記の課題を解決するための第９の手段として、上記第８の解決手段において、固定具本体は、エンドキャップに対して揺動自在であることを特徴とする格子用締付部材の固定具を提供するものである。
【発明の効果】
【００１４】
本発明によれば、上記のように、格子部材の内部に挿入される固定具本体に座金等を保持するホルダーを設けているため、座金等を指で固定することなく、固定具本体を格子部材の内部に挿入するだけで、ホルダーに保持された座金等を、格子部材の内部において、他方の格子部材、ひいては、当該他方の格子部材に設置され座金に螺合されるべきネジやビス等の螺合部材に対応する所定の位置に簡易に位置決めをすることができる実益がある。
【００１５】
また、本発明によれば、上記のように、固定具本体に、ホルダーを支持して座金等を所定の設置位置に固定する位置固定部材を設けているため、同様に固定具本体を格子部材の内部に挿入するだけで、座金等を所定の位置に保持することができ、他方の格子部材に設置されたビスやネジ等の螺合部材を、簡易に、かつ、適切に、座金やナットに螺合させることができる実益がある。
【００１６】
更に、本発明によれば、上記のように、ホルダーを、固定具本体の端部から所定の距離に設置する等して、固定具本体のうち座金等を設置すべき位置に対応する位置に設けているため、微調整することなく固定具本体を格子部材の内部の所定の位置に挿入するだけで、ホルダーに保持された座金やナットを、格子部材の内部の所定の位置に簡易に、かつ、適切に位置決めをすることができる実益がある。
【００１７】
加えて、本発明によれば、上記のように、固定具本体を格子部材の内部に挿入することにより、締付部材の位置決め及び位置固定をすることができるため、これらの締付部材の設置位置を格子部材内部の任意の位置に設定することができ、面格子の設計の自由度、ひいては、デザインの幅を拡張することができる実益がある。
【００１８】
本発明によれば、上記のように、ホルダーに、座金等に螺合されるべき螺合部材の杆部が貫通する杆部貫通部を形成しているため、ホルダーがネジ、ビスその他の螺合部材の締付の支障となることがなく、格子部材を適切に連結することができる実益がある。
【００１９】
これらの場合において、本発明によれば、上記のように、固定具本体に複数のホルダーを設けているため、一度の作業で同時に複数の座金等を位置決めして所定の位置に保持することができるため、格子部材の組み付け作業の効率が向上する実益がある。
【００２０】
加えて、本発明によれば、上記のように、固定具本体を格子部材の端部に嵌合されるエンドキャップと一体となっているため、エンドキャップの取付作業をするだけで同時に座金等の位置決め及び保持も達成することができるので、組み付け作業の効率が向上すると同時に、この座金等に螺合されたビス、ネジ等によりエンドキャップの抜け止めも達成することができる実益がある。
【発明を実施するための最良の形態】
【００２１】
本発明の実施の形態を図面を参照しながら詳細に説明すると、図１乃至図４は、本発明の固定具１０を示し、この固定具１０は、特に図４に示すように、格子１を構成する各格子部材１Ａ、１Ｂの内部に、ビス、ネジ等の螺合部材２に締め付けられる格子用締付部材３を固定するものである。
【００２２】
図示の実施の形態では、この格子用締付部材３が、座金３Ａであるのが示されている。従って、この実施の形態における座金３Ａには、ビス、ネジ等の螺合部材２が螺合するネジ溝が形成された締付孔３ａが設けられている。従って、座金３Ａ以外に図示しないナットを使用する必要がなく、格子１の軽量化やまた組み付け作業の効率化を図る上で好適な例といえる。但し、本発明の固定具１０により固定すべき締付部材は、図示の座金３Ａに限定されるものではなく、図示しないナットや、また、無垢の内周面を有する貫通孔が形成された座金及びこの座金に宛われるナットの組合せ等の固定に使用することもできる。なお、ビス、ネジ等の螺合部材としては、防犯上の理由から、容易に外すことができない防犯用の螺合部材を使用することが好ましい。
【００２３】
また、図示の実施の形態では、縦材用格子部材１Ａの内部に座金３Ａ等の締付部材３を設置して、横材用格子部材１Ｂ側から挿通された螺合部材２を締め付けるケースが示されている。これは、一般に、格子１においては、横材用格子部材１Ｂの方が幅が広く、また、螺合部材２の螺合のためのための開口１ｂを形成しやすいのに対して、縦材用格子部材１Ａは、内部の空間が狭く、開口部を有しない閉塞された内部形状を有するため、螺合部材の締付作業のためのスペースを確保することが困難であることから、縦材用格子部材１Ａ側に座金３Ａ等の締付部材３を設置する方が適しているためである。
【００２４】
但し、縦、横の関係は相対的なものであり、本発明においては、複数の格子部材１Ａ、１Ｂの連結に使用される締付部材であれば、部材の向きや関係を問わず、いずれの格子部材の内部に設置される締付部材３の固定にも適用することができる。
【００２５】
この固定具１０は、図１乃至図４に示すように、格子部材１Ａの内部に挿入される固定具本体１２を備えている。この固定具本体１２は、図１乃至図４に示すように、角柱状に伸びる格子部材１Ａの内部に簡易に挿入することができるように、格子部材１Ａの内部形状に合わせたアーム状の形状に形成される。また、その材質は、螺合部材の締付に耐えられる程度の強度を有すれば特に限定はなく、一方で、ある程度の軽量化を考慮して、例えば、アルミニウム等の軽量金属や、ＰＥＴ（ポリエチレンテレフタレート）等のプラスチック等から形成することができる。
【００２６】
この固定具本体１２は、図１乃至図４に示すように、座金３Ａ等の締付部材３を保持するホルダー１４を有している。このホルダー１４は、固定具本体１２の成形時に、材料の一部を所定形状に加工することにより、固定具本体１２と一体的に形成することができる。この場合、ホルダー１４は、保持すべき締付部材３の形状に合わせて加工する。具体的には、四角形の平面形状を有する座金３Ａを保持する図示の実施の形態では、この座金３Ａに合わせた形状に形成する。これにより、座金３Ａの位置を固定することができ、ビス等の螺合部材の締付により、共回りすることがない。上記のように、図示しないナットや、ナット及び座金の組合せにおいても、同様に、これらの締付部材の形状に合わせてホルダー１４を形成することにより、共回りを防止することができる。
【００２７】
このホルダー１４は、図１乃至図４に示すように、座金３Ａ等の締付部材３に螺合されるべき螺合部材２の杆部２ａが貫通する杆部貫通部１４ａを有している。従って、締付により座金３Ａの締付孔３ａを貫通したネジ、ビス等の螺合部材２の杆部２ａが、更にホルダーをも貫通することができ、ホルダーが強固な締付の支障となることがなく、格子部材を適切に連結することができる。
【００２８】
また、この固定具本体１２は、図１乃至図４に示すように、ホルダー１４を支持して座金３Ａ等の締付部材３を所定の設置位置に固定する位置固定部材１６を備えている。この位置固定部材１６は、図示の実施の形態では、ホルダー１４から伸びるように形成された２つの脚部１６Ａであるのが示されている。この脚部１６は、特に、図４から解るように、縦材用格子部材１Ａの内幅からホルダー１４の高さを除いた高さ、即ち、ホルダー１４と脚部１６Ａを合わせた高さが、縦材用格子部材１Ａの内幅と一致するように設定する。
【００２９】
これにより、螺合部材２を締め付けても、ホルダー１４に保持された座金３Ａ等の締付部材３が螺合部材２の進行方向に退避したり所定の位置から落下することがなく、各格子部材１Ａ、１Ｂを、簡易に、かつ、適切に組み付けることができる。なお、この位置固定部材１６は、その形状や材質等には、特に限定はないが、少なくとも、螺合部材２の締付による締付部材３の変位を防止することができる充分な強度を有するように設計することが必要である。
【００３０】
更に、この固定具本体１２は、図示の実施の形態では、図１乃至図４に示すように、格子部材１Ａの端部に嵌合されるエンドキャップ１８と一体となっている。即ち、図示の実施の形態では、固定具１０がエンドキャップ１８としても機能し、換言すれば、エンドキャップ１８が固定具１０としての機能をも兼任している。
【００３１】
このため、ホルダー１４及び固定具本体１２を格子部材１Ａの内部に挿入するようにしてエンドキャップ１８の取付作業をするだけで同時に座金３Ａ等の締付部材３の位置決め及び保持も達成することができるので、組み付け作業の効率を向上させることができる。一方で、この座金３Ａ等にビス、ネジ等の螺合部材２を締め付けた後は、これらの螺合部材２及び締付部材３の結合により、同時に固定具１０に連結されたエンドキャップ１８も固定されるため、縦材用格子部材１Ａにあってもエンドキャップ１８が抜け落ちるのを防止して、その抜け止めも達成することができる。なお、固定具本体１２は、エンドキャップ１８と一体的に成形加工することもできるし、別体として形成した後エンドキャップ１８に取り付けて一体とすることもできる。
【００３２】
また、この固定具本体１２は、特に図１及び図２に示すように、エンドキャップ１８に対して揺動自在とすることが好ましい。この場合、図１（Ｂ）に示すように、通常では、ホルダー１４が跳ね上がった状態に設定することにより、ホルダー１４を格子部材１Ａの内部に挿入した場合に、ホルダー１４に保持された座金３Ａ等を格子部材１Ａの内周面に押し当てることができる。従って、固定具１０の使用時には、図２に示すように、この固定具本体１２を揺動させて座金３Ａ等の締付部材３をホルダー内に設置し、その状態のまま、図３に示すように、ホルダー及び固定具本体１２を格子部材１Ａ内に挿入する。
【００３３】
なお、固定具本体１２は、例えば、プラスチック製材料であれば、端部をエンドキャップ１８に融着その他の適宜の手段により薄肉部とすることにより、あるいは、金属製材料であれば、ヒンジを介してエンドキャップ１８に取り付けることにより、揺動自在とすることができる。
【００３４】
また、本発明においては、ホルダー１４は、固定具本体１２のうち、座金３Ａ等の締付部材３を設置すべき位置に対応する位置に設けられている。より具体的には、ホルダー１４を、固定具本体１２を格子部材１Ａ内の所定の位置に挿入した場合に、締付部材３を設置すべき位置に対応する位置に付合して設けることにより、ホルダー１４に保持された座金３Ａ等の締付部材を適切な位置に配置することができる。
【００３５】
従って、エンドキャップ１８と一体型の図示の実施の形態の固定具１０においては、固定具１０を、図４に示すように、固定具１０の端部となるエンドキャップ１８を、格子部材１Ａの端部に対応するように配置した場合に、即ち、エンドキャップ１８を格子部材１Ａの端部に嵌合させて取り付けた場合に、固定具１０の端部であるエンドキャップ１８からホルダー１４までの距離が、座金３Ａ等の締付部材３を設置すべき位置に対応する距離に付合させてホルダー１４を設ける。
【００３６】
これにより、エンドキャップ１８を取り付けるだけで、同時に、微調整することなく、ホルダー１４に保持された座金３Ａ等の締付部材３を設定された所定の位置に、簡易に、かつ、適切に、位置決めすることができると共に、脚部１６Ａ等の位置固定部材１６により当該位置に固定されるため、図４に示すように、ビス等の螺合部材２を締め付けるだけで、簡易に、格子部材１Ａ、１Ｂを組み付けて格子を組み立てることができる。
【００３７】
この場合、図示の実施の形態では、通常の格子１において作業者の指が届く範囲内として設定された一般的な距離である格子部材１Ａの端部から７０ｍｍの位置に、座金３Ａの締付孔３ａの中心が位置するように設定しているが、本発明においては、上記のように、固定具１０によりホルダー１４及び固定具本体１２を格子部材１Ａの内部に挿入するだけで簡易に位置決めすることができるため、この距離を任意に距離に設定することができ、また、任意の距離に設定しても、螺合部材２を確実に座金３Ａ等の締付部材に締め付けることができる。従って、これにより、従来は、縦材用格子部材１Ａの上下端から約７０ｍｍ程度の位置に配置されていた横材用格子部材１Ｂを任意の位置に配置させることができ、格子１の設計の自由度、ひいては、デザイン性を向上させることができる実益がある。
【００３８】
同様に、固定具本体１２に、複数のホルダー１４を設定することにより、縦材用格子部材１Ａに複数の横材用格子部材１Ｂを組み付けることができ、より一層設計の自由度を向上させることができると共に、複数の座金３Ａ等の締付部材を、同時に位置決めすることができるため、作業効率を格段に向上させることもできる。
【００３９】
なお、上記の実施の形態はあくまで一例であり、例えば、固定具本体１２は、エンドキャップ１８に対して揺動することなく固定的に取り付けても良く、また、エンドキャップ１８とは別体と別部品として使用することもできる。
【産業上の利用可能性】
【００４０】
本発明は、面格子の格子部材の連結に好適であるが、その他、格子部材と同様の細径の中空柱状の部品の内部に座金等の締付部材を位置決めするのに、広く適用することができる。
【図面の簡単な説明】
【００４１】
【図１】図１は本発明の固定具を示し、同図（Ａ）はその平面図、同図（Ｂ）はその正面図、同図（Ｃ）はその側面図である。
【図２】本発明の固定具のホルダーに座金を装着する状態の正面図である。
【図３】座金を保持した本発明の固定具の固定具本体を格子部材に挿入する状態の概略正面図である。
【図４】本発明の固定具により座金を位置決めして固定した状態を示す正面図である。
【符号の説明】
【００４２】
１  格子
１Ａ  縦材用格子部材
１Ｂ  横材用格子部材
２  螺合部材
２ａ  螺合部材の杆部
３  締付部材
３Ａ  座金
１０  固定具
１２  固定具本体
１４  ホルダー
１４ａ  杆部貫通孔
１６  位置固定部材
１６Ａ  脚部
１８  エンドキャップ
【図１】
2008128374.tif 000003
【図２】
2008128374.tif 000004
【図３】
2008128374.tif 000005
【図４】
2008128374.tif 000006